(57)【要約】【課題】ケーブル用収納箱の中の絡まりを防止し、かつ簡便に余長ケーブルを収納することにより、ケーブルの有効活用を可能にし、資源の有効活用及びネットワーク構築コストの低減を図ることができる余長収納装置を得る。【解決手段】余長収納装置１００は、ケーブル１１が収納されたケーブル用収納箱１３に付属し、ケーブル用収納箱１３内の空間を仕切り板１５により２分割してその一方に余長収納空間１７を形成し、余長収納空間１７に連通する余長収納口１９から余長収納空間１７に余長ケーブルを差し込んで収納する。【選択図】  図１
2011232694.tif 000002
【特許請求の範囲】
【請求項１】
８の字巻きしたケーブルを収納するケーブル用収納箱から余分に引き出された余長ケーブルを収納するため、前記ケーブル用収納箱内の空間を２分割して形成し、分割された一つの前記空間に対応する外壁面に前記余長ケーブルを導出入する余長収納口を開口したことを特徴とする余長収納装置。
【請求項２】
前記余長ケーブルの導出入部を開口した円筒形の収納補助部を前記空間内に形成していることを特徴とする請求項１記載の余長収納装置。
【請求項３】
８の字巻きしたケーブルを収納するケーブル用収納箱から余分に引き出された余長ケーブルを請求項１または２の余長収納装置に押し込んで収納させる際に、前記余長ケーブルの先端部を後方側に折り曲げて余長収納口から押し込むことを特徴とする余長収納方法。
【発明の詳細な説明】
【技術分野】
【０００１】
本発明は、ケーブル用収納箱に付属して該収納箱より余分に引き出された余長ケーブルを収納する余長収納装置及び余長収納方法に関する。
【背景技術】
【０００２】
主に室内に布設されるＬＡＮケーブル、インドア用光ケーブルなどの比較的細径のケーブルの収納に、８の字巻きしたケーブルを収納するケーブル用収納箱が用いられている。このケーブル用収納箱は、ケーブルを絡めずに引き出しやすい、いわゆる８の字巻きしたケーブルの状態で収納するもので、一つの面に形成された穴からケーブルが引き出されて布設されるようになっている。このケーブル用収納箱は、使用後つまりケーブルがなくなった後に廃棄が容易となるようにダンボールを主体として形成されている（例えば、特許文献１，２参照）。
【先行技術文献】
【特許文献】
【０００３】
【特許文献１】特許第３９８６０６７号公報
【特許文献２】特開２００１−６３７８４号公報
【発明の概要】
【発明が解決しようとする課題】
【０００４】
上記したケーブル用収納箱においては、室内にケーブルを布設し終わった後、ケーブルを箱から余分に引き出した余長（例えば、５〜１０ｍ程度）が残ることがある。ケーブル用収納箱においては、この余長を箱の中に押し込んでしまうと、箱の中でケーブルが絡まってしまい、次に引き出そうとしてもスムーズに引き出せなかったり、ケーブルにキンク（折れ曲がり）が発生したりして、ケーブルが特に光ケーブルである場合は断線に至るなどのトラブルの原因となる。このため、布設作業後は箱の近傍でケーブルを切断し、余長は廃棄することとしている。
しかしながら、このように余長を廃棄すると、資源の無駄になり、ネットワーク構築コストが増大してしまう。
【０００５】
そこで、本発明は、ケーブルの絡まりを防止しつつ簡便に余長を保持することにより、余長の有効活用を可能にし、資源の有効活用及びネットワーク構築コストの低減することができる、ケーブル用収納箱に付属した余長収納装置及び余長収納方法を提供することを目的とする。
【課題を解決するための手段】
【０００６】
本発明に係る上記目的は、下記構成により達成される。
（１）  ８の字巻きしたケーブルを収納するケーブル用収納箱から余分に引き出された余長ケーブルを収納するため、前記ケーブル用収納箱内の空間を２分割して形成し、分割した一つの前記空間に対応する外壁面に前記余長ケーブルを導出入する余長収納口を開口したことを特徴とする余長収納装置。
【０００７】
この余長収納装置によれば、ケーブル用収納箱内に形成した余長収納空間に余長ケーブルを押し込むことで、切断せずに、例えば周回巻きして余長収納空間に収納することができる。余長収納空間は数ｍ程度のケーブル長が収納できる寸法形状であれば十分である。余長収納空間を形成するための仕切り板等の区画手段は必ずしも必要で無く、小型の箱をケーブル用収納箱内に挿入配置しても同様の機能を得ることができる。余長収納装置の材質としては、ケーブル用収納箱と同じダンボールとしたり、プラスチックとすることができる。余長ケーブルの余長収納空間からの引き出しは、余長収納口より引っ張り出すだけ良く、余長ケーブルに撚りを発生させることなく余長ケーブルを引き出すことができ、布設作業を向上できる。
【０００８】
（２）  （１）の余長収納装置であって、
前記余長ケーブルの導出入部を開口した円筒形の収納補助部を前記空間内に形成していることを特徴とする。
【０００９】
この余長収納装置によれば、円筒形の収納補助部を装備して角部を余長収納空間内に無くすことで、ケーブル余長を押し込み易くすることができる。この場合、円筒空間を設定する構成として、円筒体を空間内部に配置したり、空間形状そのものを円筒形とした構成で実現できる。
【００１０】
（３）  ８の字巻きしたケーブルを収納するケーブル用収納箱から余分に引き出された余長ケーブルを（１）または（２）の余長収納装置に押し込んで収納させる際に、前記余長ケーブルの先端部を後方側に折り曲げて余長収納口から押し込むことを特徴とする余長収納方法。
【００１１】
この余長収納方法によれば、余長ケーブルの先端部を後方側に折り曲げて押し込むため、空間内部の角部での引っ掛かり防止して余長ケーブルを容易に押し込むことができる。
【発明の効果】
【００１２】
本発明の余長収納装置によれば、８の字巻きしたケーブルを収納するケーブル用収納箱から余分に引き出された余長ケーブルを押し込んで収納することができる。これにより、８の字巻きケーブルが収納される箱内でのケーブルの絡まりを防止できる。ケーブルの絡まりを防止しつつ簡便に余長を保持することにより、余長の有効活用を可能にし、資源の有効活用及びネットワーク構築コストを低減できる。
【００１３】
本発明の余長収納方法によれば、余長ケーブルの先端部を後方側へ折り曲げて余長収納装置に押し込むので、空間内壁との干渉を防止して容易に押し込むことができる。
【図面の簡単な説明】
【００１４】
【図１】本発明の第一の実施の形態に係る余長収納装置を備えるケーブル用収納箱の一部破断外観斜視図である。
【図２】図１の余長収納装置の縦断面図である。
【図３】本発明の第二の実施の形態に係る余長収納装置を備えるケーブル用収納箱の一部破断外観斜視図である。
【図４】図３の余長収納装置の縦断面図である。
【図５】本発明の第三の実施の形態に係る余長収納装置の縦断面図である。
【発明を実施するための形態】
【００１５】
以下、本発明に係る余長収納装置及び余長収納方法の好適な実施の形態について図面を参照して説明する。
図１，２は本発明の第一の実施の形態に係る余長収納装置を示す一部破断外観斜視図及び縦断面図である。
本実施の形態による余長収納装置１００は、８の字巻きしたケーブル１１を収納するケーブル用収納箱１３に付属して、ケーブル用収納箱１３から外方へ余分に引き出された余長ケーブル１１ａを収納し、保持する。
本実施の形態では、余長収納装置１００は、ケーブル用収納箱１３内の空間を仕切り板１５により２分割して形成した一方の空間が余長収納空間１７として設定され、この余長収納空間１７と外部とを連通する余長収納口１９から余長収納空間１７内に余長ケーブル１１ａを差し込んで収納する。
【００１６】
ケーブル用収納箱１３は、箱本体２１がダンボールにて例えば六面体形状に形成され、一つの面である正面２５に円形状のケーブル引出口２７が開口される。箱本体２１内にはケーブル１１である例えば光ケーブルが８の字巻きされて収納されている。８の字巻きは、中央交差部を境に巻き方向が反転する巻取り方式で、ケーブル１１を束から引き出しても撚れず、従来のドーナッツ状の巻取り方式と比べ、現場で捩れ戻しの手間、捩れ、キンクによる特性悪化、断線等の問題が発生し難い。
【００１７】
余長収納装置１００は、既述したように、ケーブル用収納箱１３の箱本体２１内を仕切り板１５で区画して形成した余長収納空間１７を備える。仕切り板１５は、箱本体２１と同様のダンボールにて形成することができる。余長収納空間１７は、箱本体２１よりも小型に形成され、ケーブル用収納箱１３内に配置される別体の箱内に設定することもできる。余長収納空間１７は、正面２５の上縁位置の近傍に円形状の余長収納口１９を開口している。また、余長収納空間１７は、ケーブル余長の全体を収納可能としている。
【００１８】
余長収納装置１００は、ケーブル用収納箱１３に付属し、ダンボールを用いて作成されるが、余長ケーブルの出し入れを良好にし、耐久性を高めるために別素材により形成することもできる。別素材しては、例えばパラフィン含有紙を挙げることができる。また、ポリオレフィンシート、４弗化エチレン樹脂シート、弗素樹脂等のプラスチックコーティングシート等を余長収納口１９の近傍に貼着し、滑性を高めたものとしてもよい。
なお、余長収納装置１００は、収納されるケーブル１１の許容曲げ半径以上となる内部寸法を有していることが好ましい。これにより、余長ケーブル１１ａに過大な曲げ歪みを生じさせることがなく、特にケーブルが光ケーブルであっても、伝送損失が抑制され、信頼性の低下を生じさせない。
【００１９】
次に、余長収納装置１００へのケーブル余長の余長収納方法について説明する。
ケーブル用収納箱１３から引き出されたケーブル１１は、布設された後、余分に引き出された余長ケーブル１１ａが余長収納装置１００の余長収納口１９から余長収納空間１７に押し込まれる。その際、ケーブル余長が短尺であれば、そのまま余長収納空間１７へ挿入され、ケーブル余長が長尺あれば、周回巻きして余長収納空間１７へ収納される。しかし、長尺のケーブル余長として、例えば５〜１０ｍ程度の余長ケーブル１１ａを押し込んでも、ケーブル先端が矩形状に形成された空間内壁面の角部に当接して周回巻きされ難いため、余長ケーブル１１ａの先端部を後方側に折り返して円形に折り曲げられた折曲先端部１１ｂとすると、余長ケーブル１１ａは余長収納装置１００への押し込みが良好になされ、容易に周回巻きさせることができる。
【００２０】
詳述すると、押し込まれた余長ケーブル１１ａは、余長収納空間１７内を自らの自重により下方に向けて進行しつつ、やがて余長収納空間１７の内壁面に衝突する。そのとき、余長ケーブル１１ａは折曲先端部１１ｂが余長収納空間１７の内壁面上を滑動して進行方向が下方に強制的に変更される。そのため、余長ケーブル１１ａは下方に向けて進行していく。
【００２１】
下方に向けて進行していった余長ケーブル１１ａは、再び余長収納空間１７の他の内壁面に衝突して、進行方向が変更される。この衝突の繰り返しによって、余長ケーブル１１ａは、巻回されて余長収納空間１７内に収容されることになる。
【００２２】
上述したように、本発明の第一の実施の形態の余長収納装置１００では、仕切り板１５を設けることで形成される余長収納空間１７に対して余長ケーブル１１ａを余長収納口１９から押し込む。これにより、余長収納空間１７は余長ケーブル１１ａを収容することができる。また、余長ケーブル１１ａを引き出す際にも、余長収納口１９から引っ張り出すだけで、余長ケーブル１１ａを撚りを発生させることなく引き出すことができ、布設作業を良好にすることができる。従って、余長ケーブル１１ａは、従前のケーブル用収納箱１３に戻した場合に生じるケーブル用収納箱１３中での絡まりが防止でき、かつ簡便に収納されることにより、ケーブル１１の有効活用を可能にし、資源の有効活用及びネットワーク構築コストの低減を図ることができる。
【００２３】
また、上記の第一の実施の形態では、余長ケーブル１１ａが、その先端部に折曲先端部１１ｂを備えるために、余長収納空間１７内での引っ掛かりを無くして、容易に押し込みを行うことができる。
【００２４】
次に、本発明に係る第二の実施の形態について説明する。なお、先の第一の実施の形態と重複する部分、部位については、同一符号あるいは相当符号を付することによって説明を簡略化あるいは省略する。
本発明の第二の実施の形態の余長収納装置２００は、図３，４に示すように、余長収納空間１７内に位置し、余長収納口１９から余長収納空間１７に押し込まれた余長ケーブル１１ａを、その内部に収納可能にする収納補助部である円筒形の収納補助部材３１を備える。
【００２５】
収納補助部材３１は、ケーブル用収納箱１３と同様のダンボールを用いて作成され、仕切り板１５に垂設して該仕切り板１５と一体に形成される。収納補助部材３１は、余長収納口１９と対向する周壁部位にケーブル導出入部３２を開口させ、余長収納口１９とケーブル導出入部３２とをケーブル案内筒３５により接続している。
【００２６】
このような余長収納装置２００では、ケーブル用収納箱１３のケーブル引出口２７から余分に引き出された余長ケーブル１１ａは、ケーブル案内筒３５を通ってケーブル導出入部３２に案内され、さらにケーブル導出入部３２を挿通して収納補助部材３１の内部へ進行していく。つまり、余長収納空間１７は、円筒形の収納補助部材３１を備えることにより、４隅の角部をなくして余長ケーブル１１ａを押し込み易くすることができる。
【００２７】
そして、収納補助部材３１内を進行した余長ケーブル１１ａは、収納補助部材３１の内壁面を滑動して巻回しながら収容されることになる。したがって、本実施の形態においては、先の実施の形態のように、余長ケーブル１１ａは先端部に折曲先端部１１ｂを形成することなく、押し込むことができる。勿論、先端部に折曲先端部１１ｂを形成しても構わない。
【００２８】
次に、本発明に係る第三の実施の形態について説明する。
本発明の第三の実施の形態の余長収納装置３００は、図５に示すように、円筒形の収納補助部として、略中実体３７の内部に、空間形状そのものを円筒形に形成した余長収納空間３９を備える。余長収納口１９と余長収納空間３９とは、ケーブル案内孔４１で連通している。
このように構成した余長収納装置３００であっても、先の余長収納装置２００と同様、余長収納空間３９の内部に角部をなくして、余長収納口１９から余長収納空間３９内に押し込まれる余長ケーブル１１ａを、余長収納空間３９の内壁面で滑動させることができて、余長ケーブル１１ａを押し込み易くすることができる。
【００２９】
なお、本発明は、上述した各実施の形態に限定されるものではなく、適宜、変形、改良等が自在である。その他、上述した実施の形態における各構成要素の材質、形状、寸法、形態、等は本発明を達成できるものであれば任意であり、限定されない。
【符号の説明】
【００３０】
１１  ケーブル
１１ａ  余長ケーブル
１１ｂ  折曲先端部
１３  ケーブル用収納箱
１５  仕切り板
１７，３９  余長収納空間
１９  余長収納口
２１  箱本体
２５  正面
２７  ケーブル引出口
３１  収納保持部材
１００，２００，３００  余長収納装置
【図１】
2011232694.tif 000003
【図２】
2011232694.tif 000004
【図３】
2011232694.tif 000005
【図４】
2011232694.tif 000006
【図５】
2011232694.tif 000007